(57)【要約】【課題】  屋内空間に自然的な要素を取り込んで居住者に安堵感、癒し感、開放感等を与えることができ、且つ、メンテナンスが容易な間仕切り壁を提供する。【解決手段】  本間仕切り壁１は、建物の屋内空間を間仕切るためのものであって、２枚の透明板６が所定間隔をおいて配置され、該各透明板６間の空隙８に複数種類の充填材３が層状に充填されたものである。また、空隙８の内部にブレース１１を配設し、該ブレース１１を覆い隠すようにして充填材３を充填することにより、間仕切り壁１１を耐力壁として構成することも可能である。【選択図】  図１
2007107214.tif 000002
【特許請求の範囲】
【請求項１】
建物の屋内空間を間仕切るための間仕切り壁において、
２枚の透明板が所定間隔をおいて配置され、該各透明板間の空隙に複数種類の充填材が層状に充填されたことを特徴とする間仕切り壁。
【請求項２】
前記充填材が、経年変化しない自然物からなることを特徴とする請求項１記載の間仕切り壁。
【請求項３】
前記充填材が、枯山水の庭園風に積層されたことを特徴とする請求項１又は２に記載の間仕切り壁。
【請求項４】
前記空隙の内部に耐力壁化用のブレースが設けられ、該ブレースを覆い隠すようにして前記充填材が充填されたことを特徴とする請求項１乃至３のいずれかに記載の間仕切り壁。
【請求項５】
前記２枚の透明板のうちいずれか一方に壁紙が貼設されたことを特徴とする請求項１乃至４のいずれかに記載の間仕切り壁。
【発明の詳細な説明】
【技術分野】
【０００１】
本発明は、住宅等の建物の屋内空間を間仕切るための間仕切り壁に関し、特に、屋内空間に自然感を取り入れることが可能でメンテナンスが容易な間仕切り壁に関する。
【背景技術】
【０００２】
住宅やオフィスビル等の建物の屋内空間を所定広さに間仕切るために用いられる間仕切り壁としては、その間仕切りという本来の役割に加えて、居住空間の快適性向上という役割を持たせるべく、鑑賞性や開放性を付与したものが従来提唱されている。例えば、透明板からなるパネル型の水槽として間仕切り壁を構成し、該水槽内に観賞用の水性動物や水性植物を入れることにより、居住者に対して開放感や安堵感を与えるものがある（特許文献１参照）。また、同様に間仕切り壁を水槽として構成し、該水槽内で発生させた気泡や水流に照明を当てることで視覚効果や演出効果を持たせたものもある（特許文献２参照）。
【０００３】
【特許文献１】特開平７−９７８３１号公報
【特許文献２】特開２００３−１６５２９８号公報
【発明の開示】
【発明が解決しようとする課題】
【０００４】
しかし、従来の間仕切り壁は、その内部に入れられる動植物の世話が必要となるため、メンテナンスが容易でなく、また居住者の負担が大きくなるという問題がある。また、内部に充填された液体が外部に漏れ出すと、建物に深刻な影響を与えかねないという問題もある。更に、間仕切り壁はその内部に液体が充填されるため、間仕切り壁を耐力壁として構成したい場合でも、錆び等の影響を考慮すれば、その内部に耐力壁化用のブレース等の部材を設けることができないという問題もある。また、間仕切り壁は、透明板からなる水槽の内部に透明な液体を充填したものであって、該間仕切り壁を透過してその向こう側を視認可能であるため、プライバシーを確保することができないという問題もある。
【０００５】
本発明は、このような問題に鑑みてなされたものであり、屋内空間に自然的な要素を取り込んで居住者に安堵感、癒し感、開放感等を与えることができ、且つ、メンテナンスが容易な間仕切り壁を提供する。
【課題を解決するための手段】
【０００６】
上記目的を達成するための請求項１記載の間仕切り壁は、建物の屋内空間を間仕切るための間仕切り壁において、２枚の透明板が所定間隔をおいて配置され、該各透明板間の空隙に複数種類の充填材が層状に充填されたものである。
【０００７】
請求項２記載の間仕切り壁は、前記充填材が、経年変化しない自然物からなるものである。
【０００８】
請求項３記載の間仕切り壁は、前記充填材が、枯山水の庭園風に積層されたものである。
【０００９】
請求項４記載の間仕切り壁は、前記空隙の内部に耐力壁化用のブレースが設けられ、該ブレースを覆い隠すようにして前記充填材が充填されたものである。
【００１０】
請求項５記載の間仕切り壁は、前記２枚の透明板のうちいずれか一方に壁紙が貼設されたものである。
【発明の効果】
【００１１】
本発明の請求項１に係る間仕切り壁によれば、インテリアコーディネーター等が持つ空間的デザインセンスや配色センスを生かして、充填材の積層のさせ方を種々変化させることにより、バリエーション豊富なコーディネートが可能となる。
【００１２】
本発明の請求項２に係る間仕切り壁によれば、その内部に自然物が充填されることにより、例えば狭小地に建つ住宅や隣家と近接した住宅であって十分な広さの庭を確保できない場合でも、屋内空間に自然的な要素を取り込んで、居住者に安堵感、癒し感、開放感等を与えることができる。また、経年変化しない自然物を用いることにより、そのメンテナンスに居住者が多大な負担を負うこともない。
【００１３】
本発明の請求項３に係る間仕切り壁によれば、枯山水の持つわび・さびによって、居住者に対してより強い安堵感、癒し感、開放感等を与えることができる。
【００１４】
本発明の請求項４に係る間仕切り壁によれば、耐力壁化用の筋交いや面材を充填材で覆い隠して外部から視認できないようにすることにより、居住者に対して安堵感、癒し感、開放感等を与える機能を損なうことなく、耐力壁として構成することができる。
【００１５】
本発明の請求項５に係る間仕切り壁によれば、２枚の透明板のうちいずれか一方の側からは内部の充填材を見えなくすることができ、屋内空間の使用用途に応じたコーディネートが可能となる。
【発明を実施するための最良の形態】
【００１６】
以下、本発明の実施例に係る間仕切り壁について図面に基づいて説明する。図１は、本実施例に係る間仕切り壁１を示す概略斜視図である。本間仕切り壁１は、住宅や店舗やオフィスビルや展示場等の屋内空間を所定広さに間仕切るためのものであり、中空のパネル形状を有する壁本体２と、該壁本体２の内部に層状に充填された複数種類の充填材３と、を備えるものである。
【００１７】
図２は、壁本体２の構成を示す分解斜視図である。図に示すように、壁本体２は、その上下面を構成する一対の間仕切りランナー４と、左右両側面を構成する一対の間仕切りスタッド５と、前後面を構成する一対の透明板６とを備えてなるものである。間仕切りランナー４は、断面略コの字型の形状を有し、その開口側を相対向させるようにして所定間隔をおいて配置される。一方、間仕切りスタッド５は、中空の角型パイプに凹溝７が形成されたものであり、その上端部と下端部それぞれを間仕切りランナー４に隙間なく嵌合させて配置され、図示しないビス等で固定されている。また、各透明板６は、略矩径のアクリル板であって、その上下両端部が間仕切りランナー４に、左右両端部が間仕切りスタッド５に対してそれぞれ当接され、図示しないビス等で固定されている。これにより、各透明板６の間には間仕切りスタッド５の幅分の空隙８が形成されるとともに、該空隙８の状態が透明板６を通して外部から視認可能となっている。尚、透明板６は、透明であって且つ所定の強度を有していれば、その材質はアクリルに限定されず、例えば強化ガラスを用いることも可能である。また、壁本体２は、少なくとも２枚の透明板６が所定間隔をおいて配置され、その間に空隙８が形成されていれば足りるものであって、間仕切りランナー４や間仕切りスタッド５の形状等を任意に設計変更可能であることはもちろん、間仕切りランナー４や間仕切りスタッド５を設けることなく、各透明板６の両端部を図示しない建物躯体に直接固定することも可能である。しかし、本実施例のように間仕切りランナー４や間仕切りスタッド５を設けて壁本体２をパネル化した方が、予め工場で間仕切り壁１を作製して現場へ搬入できる分、現場で間仕切り壁１を作製する場合と比べて、現場作業の簡略化及び工期短縮を図ることができる。
【００１８】
充填材３は、自然物、すなわち居住者が目にすることで自然を意識するようなものであって、経年変化しにくいもの、例えば、砂、石、土等を使用することができる。このような充填材３を壁本体２の空隙８に充填することにより、屋内に自然的な要素を取り入れて、居住者の安堵感、癒し感、開放感を喚起することができる。特に、狭小地の建物や隣家と近接する建物であって、建物の外周部に十分な広さの庭を確保することができないため、居住者が自然を感じる機会の少ない場合に有効である。また、経年変化しにくいものを使用することによって、動植物のように飼育に手間が掛かることもなく、間仕切り壁１のメンテナンスのために居住者が多大な負担を負うこともない。
【００１９】
本実施例では、充填材３として、所望の色に着色した色砂であって色違いのものを複数種類用意し、異なる色の色砂を順次積層させていわゆる断層を模した外観としている。これにより、居住者により自然を意識させることができるともに、壁本体２の空隙８に液体を充填する場合と比べて、間仕切り壁１を挟んだ両側においてより高い遮音性やプライバシーを確保することが可能となっている。もちろん、色砂の積層のさせ方は本実施例に限定されるものではなく、インテリアコーディネーター等が持つ空間的なデザインセンスや配色センスを生かして種々変化させることが可能である。また、ポップな色調の色砂を使用することで、透明板６を間仕切りスタッド５に固定するための図示しないビスを目立ちにくくすることができる。また、色砂に代えて、観葉植物等の栽培用に用いられる人口土壌、いわゆるハイドロボールやハイドロコーンを使用すれば、より経年変化しにくいため間仕切り壁１のメンテナンスが容易になるという利点がある。
【００２０】
更に、図３に示すように、水を用いない庭園として知られるいわゆる枯山水の庭園風に充填材３を充填することも可能である。例えば、モノトーンな色調の砂を積層させるとともに、その所定位置に自然石や草木等を配置することで枯山水風とすることができる。この場合、枯山水の持つわび・さびによって居住者により強い安堵感や癒し感を呼び起こすことができるとともに、間仕切り壁１を和室に使用する際にコーディネートしやすいという利点もある。
【００２１】
また、間仕切り壁１を耐力壁として構成することも可能である。この場合、図４に示すように、建物の軸組９を構成する相隣接する独立柱１０間に、互いに交差するようにして一対のブレース１１を取り付けた後、該ブレース１１を挟んだ両側に２枚の透明板６を配置して軸組９に対してそれぞれ固定する。そして、図４及び図５に示すように、２枚の透明板６と軸組９とで形成される空隙８内に、ブレース１１を覆い隠すようにして充填材３を充填する。これにより、ブレース１１は透明板６を通して外部から視認できないため、居住者に自然を意識させるという間仕切り壁１の持つ機能を損なうことなく、地震や台風による横揺れに対して建物を変形しにくくすることができる。尚、ブレース１１に代えて、図示しない筋交いや面材等を設けることも可能である。
【００２２】
また、図６に示すように、壁本体２を構成する２枚の透明板６の内側面それぞれに和紙１２を貼付し、各透明板６間の空隙８内に、防腐処理された流木１３と、該流木１３に対して光を照射する照明装置１４とを設けることも可能である。この場合、和紙１２に映った流木１３の影で風情を演出し、居住者の安堵感や癒し感を喚起することができる。もちろん、影の形状で風情を演出できるものであれば、流木１３に限らず他の自然物を用いることも可能である。
【００２３】
また、図に詳細は示さないが、壁本体２の空隙８内部に、陶器や古木や故人の思い出の品物を設置したり、新築の住居なら建て替え前の家で使用していた思い入れのある品物を設置する等して外部から視認可能とすることにより、郷愁感を演出して居住者の安堵感や癒し感を喚起することも可能である。一方、間仕切り壁１をオフィス等に設置する場合には、あえてその内部に充填材３を充填せずに、前記ブレース１１や電気配線等をむき出しにして外部から視認可能とすることにより、メカニカルな雰囲気を演出することも可能である。
【００２４】
以上のように構成される間仕切り壁１は、屋内空間の使用用途に応じて、その一方の透明板６の側からは内部を視認できないようにすることも可能である。例えば、間仕切り壁１を挟んで一方の側がリビング、他方の側が書斎であって、書斎の側からは間仕切り壁１の内部が見えないようにしたい場合には、書斎に面する側の透明板６の外側面に目隠し用の壁紙を貼付すればよい。これにより、よりバリエーション豊富なコーディネートが可能となる。
【００２５】
また、前述のように壁本体２がパネル化された間仕切り壁１は、図７に示すように、断面Ｌ字型のＬ字型金具１５を用いて床及び天井に固定することができる。すなわち、まず間仕切り壁１を床下地１６の上に設置し、Ｌ字型金具１５の一方の固定部１７を透明板６の下端部に当接させて固定するとともに、Ｌ字型金具１５の他方の固定部１８を床下地１６に固定する。そして、一方の固定部１７を覆い隠すようにして、従来公知の幅木１９を透明板６の下端部に取り付けるとともに、他方の固定部１８の上に被せるようにしてフローリング２０を取り付ける。これにより、幅木１９とフローリング２０によってＬ字型金具１５が外部から見えないようにしながら、間仕切り壁１を床下地１６に固定している。また、これと同様にして、間仕切り壁１の上端部を天井面に固定することができる。
【産業上の利用可能性】
【００２６】
本発明は、床や天井を構成するパネル部材に適用可能である。
【図面の簡単な説明】
【００２７】
【図１】本発明の実施例に係る間仕切り壁１の外観を示す概略斜視図。
【図２】壁本体２の構成を示す概略分解斜視図。
【図３】充填材３を枯山水の庭園風に充填した間仕切り壁１を示す概略斜視図。
【図４】耐力壁として構成される間仕切り壁１の構成を示す概略斜視図。
【図５】耐力壁として構成された間仕切り壁１の外観を示す概略斜視図。
【図６】空隙８の内部に流木１３と照明装置１４が設けられた間仕切り壁１を示す概略縦断面図。
【図７】パネル化された間仕切り壁１の床への取り付け状態を示す概略縦断面図。
【符号の説明】
【００２８】
１  間仕切り壁
３  充填材
６  透明板
８  空隙
１１  ブレース
【図１】
2007107214.tif 000003
【図２】
2007107214.tif 000004
【図３】
2007107214.tif 000005
【図４】
2007107214.tif 000006
【図５】
2007107214.tif 000007
【図６】
2007107214.tif 000008
【図７】
2007107214.tif 000009